(57)【要約】【課題】貴重品を引ったくりなどから効果的に護ることができ、且つ業務用の貴重品の運搬にも適した盗難防止用物品収納部を備えた上着を提供する。【解決手段】背側に、上着本体に固着され又は上着本体と一体に形成された物品収納部を設け、この物品収納部への物品出入れ口を上着本体の背側の内側に設け、好ましくは、上着本体の背部の外側において物品収納部を構成する部材を金属素材、金属線及び／又は金属繊維を混入した織布、耐切創性繊維素材などで構成する。この上着は、着用者が上着を脱がない限りは物品収納部から貴重品を取り出すことができず、好ましくは物品収納部が刃物によっても切り裂かれない素材で構成されるため、貴重品を携帯又は運搬中に引ったくりされたり強奪されたりすることがない。【選択図】      図１
2004218149.tif 000002
【特許請求の範囲】
【請求項１】
背側に、上着本体に固着され又は上着本体と一体に形成された物品収納部を設け、該物品収納部への物品出入れ口を上着本体の背側の内側に設けたことを特徴とする盗難防止用物品収納部を備えた上着。
【請求項２】
上着本体の背部の外側において物品収納部を構成する部材が、金属素材、金属線及び／又は金属繊維を混入した織布、耐切創性繊維素材、耐切創性繊維を混入した織布、金属線及び／又は金属繊維と耐切創性繊維を混入した織布、金属線及び／又は金属繊維−耐切創性繊維複合素材の中から選ばれる１種以上からなることを特徴とする請求項１に記載の盗難防止用物品収納部を備えた上着。
【請求項３】
容器部材が上着本体の背部の外側に固着されることにより物品収納部が構成されることを特徴とする請求項１又は２に記載の盗難防止用物品収納部を備えた上着。
【請求項４】
容器部材が上着本体に固着される側の面に開口部を有し、この開口部に面した上着本体の背部部分に物品出入れ口が設けられることを特徴とする請求項３に記載の盗難防止用物品収納部を備えた上着。
【請求項５】
容器部材が上着本体に固着される側の面に物品出入れ口を有するとともに、上着本体の背部に窓孔が形成され、容器部材の前記物品出入れ口が前記窓孔に面していることを特徴とする請求項３に記載の盗難防止用物品収納部を備えた上着。
【請求項６】
上着本体が、金属繊維素材、耐切創性繊維素材、金属線及び／又は金属繊維を混入した織布、耐切創性繊維を混入した織布、金属線及び／又は金属繊維と耐切創性繊維を混入した織布、金属線及び／又は金属繊維−耐切創性繊維複合素材の中から選ばれる１種以上からなることを特徴とする請求項１、２、３、４又は５に記載の盗難防止用物品収納部を備えた上着。
【請求項７】
上着本体と物品収納部が、金属繊維素材、耐切創性繊維素材、金属線及び／又は金属繊維を混入した織布、耐切創性繊維を混入した織布、金属線及び／又は金属繊維と耐切創性繊維を混入した織布、金属線及び／又は金属繊維−耐切創性繊維複合素材の中から選ばれる１種以上の素材により一体に構成されていることを特徴とする請求項１又は２に記載の盗難防止用物品収納部を備えた上着。
【請求項８】
上着本体がチョッキであることを特徴とする請求項１、２、３、４、５、６又は７に記載の盗難防止用物品収納部を備えた上着。
【請求項９】
荷物室に、車体に固定され、耐切創性連結手段の一端側が連結可能なアンカー部材を設け、荷物室に収納された貴重品運搬又は収納用容器を前記耐切創性連結手段を介して前記アンカー部材に係止できるようにしたことを特徴とする車両の運搬物盗難防止用構造。
【請求項１０】
耐切創性連結手段が、金属素材、耐切創性繊維素材、金属線及び／又は金属繊維−耐切創性繊維複合素材の中から選ばれる１種以上からなることを特徴とする請求項９に記載の車両の運搬物盗難防止用構造。
【発明の詳細な説明】
【０００１】
【発明の属する技術分野】
本発明は、携帯又は運搬中の貴重品を引ったくりなどの盗難から護ることができる盗難防止用の物品収納部を備えた上着に関する。また、本発明は、車両で運搬中の貴重品を強盗などの盗難から護ることができる車両構造に関する。
【０００２】
【従来の技術】
近年、通行人を狙った引ったくりや運搬中の金品の強奪などの犯罪が急増している。従来、このような盗難から携帯又は運搬中の貴重品を護るため、上着などの衣服に貴重品用の特別なスペースを設けるなどの提案がなされており、例えば、特許文献１には前面にバックを固定したチョッキが示され、また、特許文献２，３には内側に特別なポケットを設けた上着が示されている。
【０００３】
【特許文献１】
登録実用新案第３０６２９９７号公報
【特許文献２】
登録実用新案第３０１２４４２号公報
【特許文献３】
特開平８−２９１４１０公報
【０００４】
【発明が解決しようとする課題】
しかし、これらの従来技術のうち、特許文献１のように単にチョッキの前面にバックを設けただけでは十分な防犯機能を果たすことができず、また、チョッキの着脱自体も面倒である。また、特許文献２，３に示されるようなポケットは、物品の収納スペースが小さく、例えば、業務用に貴重品を運搬するには適さない。
また、最近、車両運搬中の現金等が強奪される事件が頻発しているが、従来の車両の構造ではこのような貴重品の盗難を適切に防止することができない。
【０００５】
本発明の目的は、貴重品を引ったくりなどの盗難から効果的に護ることができるとともに、業務用の貴重品の運搬にも適した盗難防止用物品収納部を備えた上着を提供することにある。
また、本発明の他の目的は、車両運搬中の貴重品を強盗などの盗難から効果的に護ることができる車両構造を提供することにある。
【０００６】
【課題を解決するための手段】
上記課題を解決するための本発明に係る盗難防止用物品収納部を備えた上着並びに車両の運搬物盗難防止用構造の特徴は、以下のとおりである。
［１］  背側に、上着本体に固着され又は上着本体と一体に形成された物品収納部を設け、該物品収納部への物品出入れ口を上着本体の背側の内側に設けたことを特徴とする盗難防止用物品収納部を備えた上着。
【０００７】
［２］  上記［１］の上着において、上着本体の背部の外側において物品収納部を構成する部材が、金属素材、金属線及び／又は金属繊維を混入した織布、耐切創性繊維素材、耐切創性繊維を混入した織布、金属線及び／又は金属繊維と耐切創性繊維を混入した織布、金属線及び／又は金属繊維−耐切創性繊維複合素材の中から選ばれる１種以上からなることを特徴とする盗難防止用物品収納部を備えた上着。
［３］  上記［１］又は［２］の上着において、容器部材が上着本体の背部の外側に固着されることにより物品収納部が構成されることを特徴とする盗難防止用物品収納部を備えた上着。
【０００８】
［４］  上記［３］の上着において、容器部材が上着本体に固着される側の面に開口部を有し、この開口部に面した上着本体の背部部分に物品出入れ口が設けられることを特徴とする盗難防止用物品収納部を備えた上着。
［５］  上記［３］の上着において、容器部材が上着本体に固着される側の面に物品出入れ口を有するとともに、上着本体の背部に窓孔が形成され、容器部材の前記物品出入れ口が前記窓孔に面していることを特徴とする盗難防止用物品収納部を備えた上着。
［６］  上記［１］〜［５］のいずれかの上着において、上着本体が、金属繊維素材、耐切創性繊維素材、金属線及び／又は金属繊維を混入した織布、耐切創性繊維を混入した織布、金属線及び／又は金属繊維と耐切創性繊維を混入した織布、金属線及び／又は金属繊維−耐切創性繊維複合素材の中から選ばれる１種以上からなることを特徴とする盗難防止用物品収納部を備えた上着。
【０００９】
［７］  上記［１］又は［２］の上着において、上着本体と物品収納部が、金属繊維素材、耐切創性繊維素材、金属線及び／又は金属繊維を混入した織布、耐切創性繊維を混入した織布、金属線及び／又は金属繊維と耐切創性繊維を混入した織布、金属線及び／又は金属繊維−耐切創性繊維複合素材の中から選ばれる１種以上の素材により一体に構成されていることを特徴とする盗難防止用物品収納部を備えた上着。
［８］  上記［１］〜［７］のいずれかの上着において、上着本体がチョッキであることを特徴とする盗難防止用物品収納部を備えた上着。
【００１０】
［９］  荷物室に、車体に固定され、耐切創性連結手段の一端側が連結可能なアンカー部材を設け、荷物室に収納された貴重品運搬又は収納用容器を前記耐切創性連結手段を介して前記アンカー部材に係止できるようにしたことを特徴とする車両の運搬物盗難防止用構造。
［１０］  上記［９］の盗難防止用構造において、耐切創性連結手段が、金属素材、耐切創性繊維素材、金属線及び／又は金属繊維−耐切創性繊維複合素材の中から選ばれる１種以上からなることを特徴とする車両の運搬物盗難防止用構造。
【００１１】
【発明の実施の形態】
図１〜図３は、本発明に係る盗難防止用物品収納部を備えた上着の一実施形態を示すもので、図１は斜視図、図２は上着本体の主要部を省略した状態で物品収納部を部分的に示す斜視図、図３は側面図である。
図において、１はチョッキ型の上着本体、２はこの上着本体１の背部１０の外側に固着された容器部材３により構成される物品収納部である。
前記容器部材３は、刃物などを用いても切り裂かれないようにするため、金属素材、金属線及び／又は金属繊維を混入した織布、耐切創性繊維素材、耐切創性繊維を混入した織布、金属線及び／又は金属繊維と耐切創性繊維を混入した織布、金属線及び／又は金属繊維−耐切創性繊維複合素材の中から選ばれる１種以上から構成されることが好ましい。
【００１２】
前記金属素材としては、薄鋼板、ステンレス薄板、チタン合金薄板、アルミ薄板、アルミ合金薄板などの金属板のほか、金属線及び／又は金属繊維（例えば、ステンレス線、ステンレス繊維）を編んで構成された金属織布などを用いることができる。また、前記金属線及び／又は金属繊維を混入した織布としては、通常の織布などに上述した各種の金属素材の細線や繊維を織り込んだものなどを用いることができる。また、前記耐切創性繊維素材としては、「ケブラー」、「テクノーラ」、「トワロン」（いずれも登録商標）などの名称で知られるアラミド繊維、その他の芳香族ポリアミド系繊維（好ましくは全芳香族ポリアミド繊維）、芳香族ポリエステル系繊維（好ましくは全芳香族ポリエステル繊維）、炭素繊維などをはじめとする公知の耐切創性繊維からなる織布などを用いることができる。また、前記耐切創性繊維を混入した織布としては、通常の織布などに上述した各種の耐切創性繊維を織り込んだものなどを用いることができる。また、前記金属線及び／又は金属繊維と耐切創性繊維を混入した織布としては、通常の織布などに上述した各種の金属素材の細線や繊維と耐切創性繊維を織り込んだものなどを用いることができる。また、金属線及び／又は金属繊維−耐切創性繊維複合素材としては、上述した各種の金属素材の細線や繊維と耐切創性繊維を複合させて編んだ織布などを用いることができる。
【００１３】
前記上着本体１は通常の布（織布など）で構成されてもよいが、保安性をより高めるには、上述したような金属繊維素材（金属織布）、耐切創性繊維素材、金属線及び／又は金属繊維を混入した織布、耐切創性繊維を混入した織布、金属線及び／又は金属繊維と耐切創性繊維を混入した織布、金属線及び／又は金属繊維−耐切創性繊維複合素材の中から選ばれる１種以上で構成されるのが好ましい。この上着本体１の背部１０の外側に対して前記容器部材３が適当な固着手段で固着されるが、本実施形態では物品収納部２を構成する容器部材３と上着本体１が別体であるため、容器部材３は上着本体１に固着される面が開口しており、この開口部側の容器周縁が上着本体１の背部１０の外側に接着若しくは鋲留めなどにより固着５され、物品収納部２が構成されている。
【００１４】
前記上着本体１の背部１０の内側には、物品収納部２への物品出入れ口４が形成されている。この物品出入れ口４は、上着本体１の背部１０に任意の形態で切り込みを入れて物品収納部２を開放できるようにするとともに、その切りこみ部に沿ってファスナやマジックテープなどのような適宜な開閉手段６を設けたもので、本実施形態では、背部１０にアーチ型の切り込み部を設けるとともに、この切り込み部に沿ってファスナからなる開閉手段６を取り付け、開閉可能な物品出し入れ口４を設けている。
また、上着本体１の前の合せ部分は、ファスナやボタンなどの公知の係止手段７により係脱可能となっている。
【００１５】
図４〜図６は、本発明に係る盗難防止用物品収納部を備えた上着の他の実施形態を示すもので、図４は斜視図、図５は上着本体の主要部を省略した状態で物品収納部を部分的に示す斜視図、図６は側面図である。
図において、１ａはチョッキにより構成される上着本体、２ａはこの上着本体１ａの背側に一体に形成された物品収納部であり、上着本体１ａと物品収納部２ａはともに、金属繊維素材（金属織布）、耐切創性繊維素材、金属線及び／又は金属繊維を混入した織布、耐切創性繊維を混入した織布、金属線及び／又は金属繊維と耐切創性繊維を混入した織布、金属線及び／又は金属繊維−耐切創性繊維複合素材の中から選ばれる１種以上の素材により一体に構成されている。
【００１６】
本実施形態では、上着本体１ａの背部１０の外側に、物品収納部２ａの外面側を構成すべき部材として、金属繊維素材（金属織布）、耐切創性繊維素材、金属線及び／又は金属繊維を混入した織布、耐切創性繊維を混入した織布、金属線及び／又は金属繊維と耐切創性繊維を混入した織布、金属線及び／又は金属繊維−耐切創性繊維複合素材の中から選ばれる１種以上からなる布材２０を配し、その周縁を接着、縫い付け又は鋲止め等によって上着本体１ａに固着することにより、物品収納部２ａが構成されている。
前記上着本体１ａの背部１０には、物品収納部２ａへの物品出入れ口４ａが形成されている。この物品出入れ口４ａは、先に述べた図１〜図３の実施形態と同様である。
【００１７】
図７〜図９は、本発明に係る盗難防止用物品収納部を備えた上着の他の実施形態を示すもので、図１は斜視図、図２は上着本体の主要部を省略した状態で物品収納部を部分的に示す斜視図、図３は側面図である。
図において、１ｂはチョッキ型の上着本体、２ｂはこの上着本体１ｂの背部１０の外側に固着された容器部材３ｂにより構成される物品収納部である。
先に説明した図１〜図３の実施形態では、容器部材３が上着本体１に固着される側の面に開口部を有し、この開口部に面した上着本体１の背部部分に物品出入れ口４が設けられているのに対し、本実施形態では、容器部材３ｂ自体が上着本体１ｂに固着される側の面３０に物品出入れ口４ｂを有するとともに、上着本体１ｂの背部１０に窓孔１１が形成され、容器部材３ｂの前記物品出入れ口４ｂがこの窓孔１１に面した構造を有している。すなわち、物品出入れ口４ｂを有する容器部材３ｂの面３０が上着本体１ｂの背部１０の内側に露出した構造を有するものである。
この実施形態でも、前記物品出入れ口４ｂにはファスナやマジックテープなどのような適宜な開閉手段６ｂを設けている。
なお、前記容器部材３ｂや上着本体１ｂの材質、容器部材３ｂの上着本体１ｂに対する固着部５ｂの構成などは、図１〜図３の実施形態と同様である。
【００１８】
以上のような物品収納部２，２ａ，２ｂを備えた上着によれば、上着本体１，１ａ，１ｂの背側の内側に設けられた物品出入れ口４，４ａ，４ｂから物品収納部２，２ａ，２ｂ内に金品などの貴重品を入れ、物品出入れ口４，４ａ，４ｂを閉じた状態で上着を着用し、貴重品を携帯又は運搬するものである。このような本発明の上着は、着用者が上着を脱がない限りは物品収納部２，２ａ，２ｂから貴重品を取り出すことができず、しかも物品収納部２，２ａ，２ｂは刃物によっても切り裂かれない素材で構成されているため、貴重品を携帯又は運搬中に引ったくりされたり強奪されたりすることがない。
【００１９】
また、背側に物品収納部２，２ａ，２ｂを設け且つこの物品収納部２，２ａ，２ｂへの物品出入れ口４，４ａ，４ｂを上着本体１，１ａ，１ｂの背側の内側に設けたことにより、物品収納部２，２ａ，２ｂのサイズを大きく取ることができ、このため業務用のボリュームのある貴重品も運搬することができる。
なお、上記各実施形態はチョッキ形式の上着であるが、上着の形式はチョッキに限らず任意のものとすることができる。但し、チョッキ形式の上着は着脱が容易であるという利点がある。
【００２０】
図１０及び図１１は、本発明に係る運搬物盗難防止用構造を備えた車両の一実施形態を示すもので、図１０は車両の部分断面側面図、図１１は運搬物盗難防止用構造の拡大側面図である。図において、Ａはワゴンタイプの車両（自動車）、Ｂはその荷物室、Ｃは貴重品運搬又は収納用の容器である。
前記車両の荷物室Ｂの床部ｂには、耐切創性連結手段９（紐又は鎖など）が連結可能なアンカー部材８が設けられている。このアンカー部材８は、下端が車体を構成する床部ｂに強固に固定された軸部８０と、この軸部８０の上端に設けられたリング部８１とからなっている。
【００２１】
荷物室Ｂに収納される貴重品運搬又は収納用の容器Ｃには、前記耐切創性連結手段９を連結するための連結部である取付孔１２が設けられている。前記耐切創性連結手段９は耐切創性のある紐又は鎖などにより構成される。この耐切創性連結手段９は、その一端側が容器Ｃの前記取付孔１２に通されて連結されるとともに、他端側が前記アンカー部材８のリング部８１に通されて連結され、これにより容器Ｃが耐切創性連結手段９を介してアンカー部材８に係止される。耐切創性連結手段９は、アンカー部材８、容器Ｃのいずれか又は両方に対して着脱できるようにするが、本実施形態では耐切創性連結手段９を構成する紐又は鎖が、鍵付きの締結具９０によりアンカー部材８のリング部８１に着脱可能に連結される。
【００２２】
前記耐切創性連結手段９としては、金属鎖、金属繊維及び／又は金属線（例えば、ステンレス線、ステンレス繊維）からなる紐（ロープ）、耐切創性繊維素材からなる紐（ロープ）、金属線及び／又は金属繊維−耐切創性繊維複合素材からなる紐（ロープ）などの中から選ばれる１種以上を用いることが好ましい。耐切創性連結手段９としてこのような素材を用いることにより、刃物などによっても容易には切断できず、保安性を高めることができる。
【００２３】
前記耐切創性繊維素材としては、「ケブラー」、「テクノーラ」、「トワロン」（いずれも登録商標）などの名称で知られるアラミド繊維、その他の芳香族ポリアミド系繊維（好ましくは全芳香族ポリアミド繊維）、芳香族ポリエステル系繊維（好ましくは全芳香族ポリエステル繊維）、炭素繊維などをはじめとする公知の耐切創性繊維からなる織布などを用いることができる。また、前記金属線及び／又は金属繊維−耐切創性繊維複合素材としては、各種の金属素材の細線や繊維と上述した各種の耐切創性繊維を複合させた紐（ロープ）などを用いることができる。
以上のような車両の運搬物盗難防止用構造によれば、荷物室Ｂ内の容器Ｃは耐切創性連結手段９によりアンカー部材８により係止され、また耐切創性連結手段９は刃物などによっても容易には切断できないので、車両運搬中の容器Ｃ（貴重品）を強奪などの盗難から効果的に護ることができる。
【００２４】
【発明の効果】
以上述べた本発明の盗難防止用物品収納部を備えた上着によれば、貴重品を引ったくりなどの盗難から効果的に護ることができるとともに、業務用の比較的大きい貴重品も運搬することができる。
また、本発明の車両の運搬物盗難防止用構造によれば、車両運搬中の貴重品を強盗などの盗難から効果的に護ることができる。
【図面の簡単な説明】
【図１】本発明に係る盗難防止用物品収納部を備えた上着の一実施形態を示す斜視図
【図２】図１に示す実施形態において、上着本体の主要部を省略した状態で物品収納部を部分的に示す斜視図
【図３】図１に示す実施形態の側面図
【図４】本発明に係る盗難防止用物品収納部を備えた上着の他の実施形態を示す斜視図
【図５】図４に示す実施形態において、上着本体の主要部を省略した状態で物品収納部を部分的に示す斜視図
【図６】図４に示す実施形態の側面図
【図７】本発明に係る盗難防止用物品収納部を備えた上着の他の実施形態を示す斜視図
【図８】図７に示す実施形態において、上着本体の主要部を省略した状態で物品収納部を部分的に示す斜視図
【図９】図７に示す実施形態の側面図
【図１０】本発明に係る運搬物盗難防止用構造を備えた車両の一実施形態を示す部分断面側面図
【図１１】図１０に示す実施形態における運搬物盗難防止用構造の拡大側面図
【符号の説明】
１，１ａ，１ｂ…上着本体、２，２ａ，２ｂ…物品収納部、３，３ｂ…容器部材、４，４ａ，４ｂ…物品出し入れ口、５，５ｂ…固着部、６，６ｂ…開閉手段、８…アンカー部材、９…耐切創性連結手段、１０…背部、１１…窓孔、１２…取付孔、２０…布材、３０…面、８０…軸部、８１…リング部、９０…締結具、Ａ…車両、Ｂ…荷物室、Ｃ…容器、ｂ…床部
【図１】
2004218149.tif 000003
【図２】
2004218149.tif 000004
【図３】
2004218149.tif 000005
【図４】
2004218149.tif 000006
【図５】
2004218149.tif 000007
【図６】
2004218149.tif 000008
【図７】
2004218149.tif 000009
【図８】
2004218149.tif 000010
【図９】
2004218149.tif 000011
【図１０】
2004218149.tif 000012
【図１１】
2004218149.tif 000013